(57)【特許請求の範囲】
【請求項１】
穿刺針棒（１）と、サンプル採取針棒（２）と、前記穿刺針棒（１）および前記サンプル採取針棒（２）を固定するためのハンドル（３）とを含む螺旋軟組織生検針であって、前記サンプル採取針棒（２）はサンプル採取部位を固定するための螺旋針棒（２１）とサンプルをサンプル採取部位から分離するための切断針棒（２２）を含み、前記螺旋針棒（２１）が中空構造となり、前記切断針棒（２２）が前記螺旋針棒（２１）の外側に設置され、前記切断針棒（２２）の内表面が前記螺旋針棒（２１）の外表面に緊密に接触し、前記螺旋針棒（２１）の前端にスプリング螺旋管（２１１）が設置され、前記切断針棒（２２）の前端に切断刃口（２２１）が設置され、
前記螺旋軟組織生検針がサンプル採取装置（８）をさらに含み、前記サンプル採取装置（８）が上部サンプル採取シェル（８１）と下部サンプル採取シェル（８２）を含み、前記上部サンプル採取シェル（８１）の内部に上部サンプル採取凹溝（８３）が設置され、前記下部サンプル採取シェル（８２）の内部に下部サンプル採取凹溝（８４）が設置され、前記上部サンプル採取凹溝（８３）と前記下部サンプル採取凹溝（８４）とは、形状が対応し、閉合後、前記スプリング螺旋管（２１１）ねじ山の形状に合致することを特徴とする螺旋軟組織生検針。
【請求項２】
前記スプリング螺旋管（２１１）の前端に螺旋刃口（２１２）が設置されることを特徴とする請求項１に記載の螺旋軟組織生検針。
【請求項３】
前記ハンドル（３）は、中部に前記穿刺針棒（１）または前記サンプル採取針棒（２）が貫通するための貫通孔が設置される取っ手（３１）を含み、前記取っ手（３１）の前端に前記穿刺針棒（１）または前記サンプル採取針棒（２）を方向付けて移動させるための中空サンプル採取外管（３２）が設置され、前記サンプル採取外管（３２）の外側に第１の位置決め塊（３３）が設置され、前記取っ手（３１）の後端に前記穿刺針棒（１）または前記サンプル採取針棒（２）を固定するための固定凹溝（３４）が設置され、前記固定凹溝（３４）に前記螺旋針棒（２１）と前記切断針棒（２２）をそれぞれ固定するための２つの階段が設置されることを特徴とする請求項１又は２に記載の螺旋軟組織生検針。
【発明の詳細な説明】
【技術分野】
【０００１】
本発明は医療器械分野に関し、具体的には、軟組織サンプル採取または微小腫瘍切除に用いる螺旋軟組織生検針に関する。
【背景技術】
【０００２】
穿刺生検は、医学においてよく使用される診断方法であって、腎臓、肝臓、肺、乳腺、甲状腺、前立腺、膵臓、睾丸、子宮、卵巣、体表等の複数種の器官に適用され、錐体腫瘍および不明種腫瘍等の活組織サンプルの採取、細胞吸い取りに用いられる。よく使用される生検サンプル採取針の直径が小さいので、小さな創傷に対するサンプル採取に利便であり、そして、操作方法も簡単であり、局部麻酔で行うことができる。穿刺の組織に対する損傷が小さく、出血が少ないため、安全であり、感染も少ない。
【０００３】
従来の技術において、生検針には主に２種類があり、即ち、グラブ式及びロータリーカット式である。図１に示すように、グラブ式生検針の針先部位にグラブヘッドが取り付けられ、図２に示すように、グラブ式生検針がサンプル採取する際に、グラブヘッドをサンプル採取部位に伸び、プッシュプルロッドを引いてグラブヘッドを閉合させ、サンプルを取り出す。図３に示すように、ロータリーカット式生検針の針先部位にロータリーカット刃が取り付けられる。図４に示すように、ロータリーカット式生検針がサンプル採取する際に、ロータリーカット刃をサンプル採取部位に伸び、サンプル採取管を回転させることによりサンプルをロータリーカット刃凹溝に切り入れ、サンプル採取を実現する。以上の２種類のサンプル採取方式には以下の問題が存在する。（１）毎回のサンプル採取量が決めたものではなく、定量サンプル採取を実現できない。（２）多所連続サンプル採取を行うことができない。（３）サンプル採取部位が比較的小さいまたは比較的薄い場合にサンプル採取の成功率が高くない。（４）サンプル採取部位が腔壁にある場合にサンプル採取を行うことができない。（５）サンプル採取部位が腐爛しまたは流動性がよいサンプルに対するサンプル採取を実現できない。
【０００４】
出願番号２０１１１０４６２４１３．８に開示される孔壁式生検針は、滑り止めハンドル、針体、サンプル採取環、環状溝および針先により構成され、針体の上端が針体と一体化に接着され、矩形片状となる滑り止めハンドルであり、滑り止めハンドルの側壁に複数の凸条がある。針体の下端が針先であり、針先の上には針体と一体化になるサンプル採取環があり、採取環がリング状で、環の内壁には横断面がＶ字形の環状溝がある。Ｎ字形の先端夾角は１０５°〜１２０°であり、Ｖ字形の環状溝の両環状内壁がそれぞれサンプル採取環の両環状側壁と環状の刃口を形成する。本発明が１回のサンプル採取量を上げ、サンプル採取効率を向上させることができるが、依然として定量サンプル採取を実現できず、そして、多所連続サンプル採取もできない。
【０００５】
出願番号２０１０１０２１４７４０．７に開示される内臓層生検針は、針管および針管内に嵌合された嵌合管を含み、針管の内表面および嵌合管の外表面にそれぞれ互いに合わせた内ねじ山及び外ねじ山が設置され、嵌合管内にさらにピストン及びピストンに接続されるピストンロッドが設置され、嵌合管の管壁内に軸方向に沿って貫通孔も設置される。貫通孔内にサンプル採取刀制御棒が設置され、棒の針先に近い一端に新月形サンプル採取刀が固定接続され、新月形サンプル採取刀が嵌合管の針先に近い一端の環状管壁に設置される。本発明のピストン構造は負圧室が形成でき、内臓層表面の病変組織を吸い込み、サンプル採取の正確率を向上させることができるが、依然として多所連続サンプル採取を実現できず、サンプル採取量を制御できない。
【０００６】
出願番号２００８１００１３９４３．２に開示される穿刺多所取材生検針は、カニューレ及びその内に位置する針芯を含め、針芯内部が中空となり、外表面に目盛りがあり、一定距離ごとに円形切断刀が固定される。カニューレ外腹に目盛り及び針芯を制御する自動スプリングがあり、自動スプリングがスプリング外套内に位置し、スプリングカバーにハンドルが固定される。本発明は異なる切断刀位置に同時多所サンプル採取は実現できるが、サンプル採取量が比較的少なく、定量サンプル採取は実現できず、そして、多所サンプル採取の位置が切断刀の位置により制限される。
【０００７】
出願番号２０１５１０４４１５９１．０に開示される交換可能なコア生検針は、長形管状本体を含め、本体は本体の近い側開口端から本体を貫通して遠い側開口端までに延伸する管腔を含む。遠端は第１及び第２の先端部分を含み、前記第１および第２の先端部分が遠端から延伸し、互いに直径方向に対向する。第１の先端部分の長さが第２の長さより長く、そのため、第１の先端部分から第２の先端部分までに延伸した曲線切断刃の表面積が大きくなる。第１および第２の先端部分のいずれかも針先を限定し、針先はサンプリングすべき組織に刺し、かつ組織を本体の管腔へ吸引し、組織と接触する際に、切断刃が組織を切断することを利便にさせる。
【発明の概要】
【発明が解決しようとする課題】
【０００８】
本発明の第１の目的は、従来の技術において生検針がサンプル採取過程に、定量サンプル採取が実現できず、１回でサンプル採取の成功率が低いという技術問題を解決することにある。
【０００９】
本発明の第２の目的は、従来の技術において生検針は多所連続サンプル採取が実現できず、または多所連続サンプル採取過程においてサンプル採取成功率が低いという技術問題を解決することにある。
【００１０】
本発明の第３の目的は、従来の技術において比較的大きいサンプルに対するサンプル採取成功率が低いという技術問題を解決することにある。
【００１１】
本発明の第４の目的は、従来の技術において腫瘍全体を取り出すことができないという技術問題を解決することにある。
【課題を解決するための手段】
【００１２】
本発明の第１および第２の目的を実現するために、提供される螺旋軟組織生検針は、穿刺針棒と、サンプル採取針棒と、穿刺針棒およびサンプル採取針棒を固定するためのハンドルとを含み、サンプル採取針棒はサンプル採取部位を固定するための螺旋針棒およびサンプルをサンプル採取部位から分離させるための切断針棒を含み、螺旋針棒が中空構造となり、切断針棒が螺旋針棒の外側に設置され、切断針棒内表面が螺旋針棒の外表面に緊密に接触し、螺旋針棒の前端にスプリング螺旋管が設置され、切断針棒の前端に切断刃口が設置される。切断針棒の内表面が螺旋針棒の外表面に緊密に接触することにより、切断刃口がサンプルを切断して採取する際、スプリング螺旋管のねじ山と剪断作用を形成し、サンプル採取における切断の効率および正確率を向上させる。スプリング螺旋管がサンプル採取部分を固定できるため、サンプル採取の成功率を上げられ、かつ使用過程において、サンプル採取したサンプルを螺旋管ねじ山内に嵌入させることができ、切断針棒に合わせて、サンプル採取の効率を向上させ、定量サンプル採取を実現できる。それとともに、スプリング螺旋管の長さを増加し、同一直線において異なる位置の一回多所サンプル採取が実現できる。
【００１３】
本発明に記載の螺旋軟組織生検針において、好ましくは、スプリング螺旋管の前端に螺旋刃口が設置される。螺旋刃口は、螺旋針棒がサンプル採取部位までに回転する過程において動作しなく、切断刃口がサンプルを切断した後に螺旋針棒を回転させ、スプリング螺旋管を回転させ、この時、螺旋刃口は回転の過程においてサンプルの前端部が切断でき、サンプル採取の正確率を向上させる。サンプル採取の直径が大きい場合にはこの効果がさらに明らかである。
【００１４】
本発明に記載の螺旋軟組織生検針において、好ましくは、スプリング螺旋管の前端における最後の一つまたは二つのねじ山の直径は他のねじ山より小さい。スプリング螺旋管の前端が螺旋刃口に接続されるねじ山の直径がやや小さく、サンプル採取するサンプルの前端部の断面積を低減でき、サンプル採取の正確率を向上させる。
【００１５】
本発明に記載の螺旋軟組織生検針において、好ましくは、ハンドルは、中間部に穿刺針棒またはサンプル採取針棒が貫通するための貫通孔が設置される取っ手を含み、取っ手の前端に穿刺針棒またはサンプル採取針棒を方向付けて移動させるための中空サンプル採取外管が設置され、サンプル採取外管の外側に第１の位置決め塊が設置され、取っ手の後端に穿刺針棒またはサンプル採取針棒を固定するための固定凹溝が設置され、固定凹溝にそれぞれ螺旋針棒および切断針棒を固定するための２つの階段が設置される。第１の位置決め塊が穿刺位置に対して位置決めすることができ、固定凹溝に合わせてサンプル採取針棒の固定を実現でき、位置決め、定量のサンプル採取に条件をつくる。
【００１６】
本発明に記載の螺旋軟組織生検針において、好ましくは、穿刺針棒には穿刺針および穿刺針の後部に取り付けられる穿刺針棒固定部品を含み、穿刺針の外径がサンプル採取外管の内径と同じである。
【００１７】
本発明に記載の螺旋軟組織生検針において、好ましくは、螺旋針棒にはスプリング螺旋管の後部に固定接続される螺旋針棒外管をさらに含み、螺旋針棒外管は中空構造となって、外径がサンプル採取外管の内径より小さく、あるいは同じであり、螺旋針棒外管の外径とスプリング螺旋管の後部の外径が同じであり、または螺旋針棒外管の内径とスプリング螺旋管の後部の内径と同じであり、螺旋針棒外管の後部に螺旋針棒外管を固定凹溝に固定させるための螺旋針棒固定部品が設置される。
【００１８】
本発明に記載の螺旋軟組織生検針において、好ましくは、切断針棒が切断針棒外管を含み、切断針棒外管は中空構造となって、外径がサンプル採取外管の内径より小さく、あるいは同じであり、切断刃口が切断針棒外管の前端に設置され、切断針棒外管の後部に切断針棒外管を固定凹溝に固定させるための切断針棒固定部品が設置される。
【００１９】
本発明に記載の螺旋軟組織生検針において、好ましくは、切断刃口は形状が三角形または波形の歯を少なくとも二つ有し、歯がスプリング螺旋管外表面に緊密に接触する。複数組の切断刃口の歯が採取するサンプルの切断効率を向上させ、切断時間を短縮させられる。三角形または波形の歯は採取するサンプルを効果的に切断することに役立ち、歯がスプリング螺旋管の外表面に緊密に接触することにより、歯と螺旋管ねじ山との間に剪断力を形成し、切断効率を向上させる。
【００２０】
本発明に記載の螺旋軟組織生検針において、好ましくは、螺旋針棒固定部品の他端に螺旋針棒または切断針棒を回転させるための回転棒が設置され、回転棒がねじ山を介して螺旋針棒固定部品に接続される。回転棒が螺旋針棒をサンプル採取部位までに回転させ、さらに切断針棒を連れてサンプル採取の切断をさせる。
【００２１】
本発明に記載の螺旋軟組織生検針において、好ましくは、固定凹溝に螺旋針棒および切断針棒に対して位置決めを行うための固定モジュールが設置され、固定モジュールは横断面がＵ型となって、中部にねじ山が貫通するための第１の貫通孔が設置され、螺旋針棒固定部品および切断針棒固定部品が固定凹溝と固定モジュールで構成された空洞内に位置し、回転棒の前端においてのねじ山の外側に螺旋針棒および切断針棒に対して位置決めを行うための第２位置決め塊が設置される。固定モジュールはスプリング螺旋管に対して位置決めすることができ、位置決め、定量のサンプル採取を実現し、同時に、同一直線に多所一回でサンプル採取も実現できる。
【００２２】
本発明に記載の螺旋軟組織生検針において、好ましくは、螺旋軟組織生検針は吸収性ゼラチンをサンプル採取部位に押し込むための推進棒をさらに含み、推進棒は円棒を含み、円棒の後部に推進棒を位置決めするための推進棒固定部品が設置される。推進棒が患者の傷口の癒合に有利の吸収性ゼラチンをサンプル採取部位に押し込み、患者の傷口癒合に有利である。
【００２３】
本発明に記載の螺旋軟組織生検針において、好ましくは、螺旋軟組織生検針が真空ポンプをさらに含み、取っ手の上端にサンプル採取外管の中空部分と連通する第２の貫通孔が設置され、第２の貫通孔の上端において取っ手の外側に第１の継ぎ手が設置され、回転棒の中部にサンプル採取外管の後端と連通する第３の貫通孔が設置され、第３の貫通孔の外端において回転棒の外端に第２の継ぎ手が設置され、真空ポンプが第１の継ぎ手または第２の継ぎ手に接続される。穿刺する時、真空ポンプと第１の継ぎ手とを接続させ、穿刺途中に出た血液を即時に排出でき、同時に、サンプル採取部位の妨害となる液体（例えば、化膿後の膿液）を即時に排除でき、かつ、サンプル採取部位の流動性が良い場合に、サンプルを第２の継ぎ手から直接吸い出してサンプル採取を実現できる。サンプルを位置決めおよび切断する時、真空ポンプと第２の継ぎ手とを接続させ、螺旋針棒外管または切断針棒外管に負圧を形成し、採取するサンプルの切断およびサンプル採取部位の他の組織との分離に有利であり、サンプル採取の正確性を向上させる。
【００２４】
本発明に記載の螺旋軟組織生検針において、好ましくは、螺旋軟組織生検針がサンプル採取装置をさらに含み、サンプル採取装置が上部サンプルシェルと下部サンプルシェルを含み、上部サンプルシェルの内部に上部サンプル採取凹溝が設置され、下部サンプルシェルの内部に下部サンプル採取凹溝が設置され、上部サンプル採取凹溝と下部サンプル採取凹溝とは、形状が対応し、閉合後、スプリング螺旋管ねじ山の形状に合致する。サンプル採取が終了した後、採取したサンプルを含んだスプリング螺旋管をサンプル採取装置に置き、サンプル採取装置を閉合し、そしてスプリング螺旋管を逆回転させて取り出せば、採取したサンプルが装置に置かれ、そしてサンプル採取装置を開き、完成したサンプルを取得できる。
【００２５】
本発明の第３の目的を実現するために、提供される螺旋軟組織生検針は、穿刺針棒と、サンプル採取針棒と、穿刺針棒およびサンプル採取針棒を固定するためのハンドルとを含み、サンプル採取針棒はサンプル採取部位を固定するための螺旋針棒とサンプルをサンプル採取部位から分離するための切断針棒を含み、螺旋針棒が中空構造となり、切断針棒が螺旋針棒の内側に設置され、切断針棒の外表面が螺旋針棒の内表面に緊密に接触し、螺旋針棒の前端にスプリング螺旋管が設置され、切断針棒の前端に切断刃口が設置される。切断針棒の外表面が螺旋針棒の内表面に緊密に接触することにより、切断刃口がサンプルを切断して採取する際、スプリング螺旋管のねじ山と剪断作用を形成し、サンプル採取における切断の効率および正確性を向上させる。スプリング螺旋管がサンプル採取部分を固定でき、一回でサンプル採取の成功率を向上させ、かつ使用中において、採取したサンプルを螺旋管ねじ山内に嵌入させることができ、切断針棒に合わせ、サンプル採取の効率を向上させ、定量サンプル採取を実現できる。それとともに、スプリング螺旋管の長さを増加すれば、同一直線において異なる位置の一回多所サンプル採取も実現できる。
【００２６】
本発明に記載の螺旋軟組織生検針において、好ましくは、スプリング螺旋管の前端に螺旋刃口が設置される。螺旋刃口は、螺旋針棒がサンプル採取部位までに回転する過程において動作しなく、切断刃口がサンプルを切断した後に螺旋針棒を回転させ、スプリング螺旋管を回転させ、この時、螺旋刃口が回転の過程においてサンプルの前端部を切断でき、サンプル採取の正確率を向上させ、サンプル採取の直径が大きい場合にこの効果がさらに明らかである。
【００２７】
本発明に記載の螺旋軟組織生検針において、好ましくは、ハンドルは、中部に穿刺針棒またはサンプル採取針棒が貫通するための貫通孔が設置される取っ手を含み、取っ手の前端に穿刺針棒またはサンプル採取針棒を方向付けて移動させるための中空サンプル採取外管が設置され、サンプル採取外管の外側に第１の位置決め塊が設置され、取っ手の後端に穿刺針棒またはサンプル採取針棒を固定するための固定凹溝が設置され、固定凹溝にそれぞれ螺旋針棒および切断針棒を固定するための２つの階段が設置される。第１の位置決め塊が穿刺位置に対して位置決めすることができ、固定凹溝に合わせてサンプル採取針棒の固定を実現でき、位置決め、定量のサンプル採取に条件をつくる。
【００２８】
本発明に記載の螺旋軟組織生検針において、好ましくは、穿刺針棒は穿刺針と穿刺針の後部に取り付けられる穿刺針棒固定部品を含み、穿刺針の外径がサンプル採取外管の内径と同じである。
【００２９】
本発明に記載の螺旋軟組織生検針において、好ましくは、螺旋針棒はスプリング螺旋管の後部に固定接続される螺旋針棒外管をさらに含み、螺旋針棒外管は中空構造となって、外径がサンプル採取外管の内径より小さく、あるいは同じであり、螺旋針棒外管の外径とスプリング螺旋管の後部の外径が同じであり、または螺旋針棒外管の内径とスプリング螺旋管の後部の内径と同じである。螺旋針棒外管の後部に螺旋針棒外管を固定凹溝に固定させるための螺旋針棒固定部品が設置される。
【００３０】
本発明に記載の螺旋軟組織生検針において、好ましくは、切断針棒が切断針棒外管を含み、切断針棒外管は中空構造となって、外径がサンプル採取外管の内径より小さく、あるいは同じであり、切断刃口が切断針棒外管の前端に設置され、切断針棒外管の後部に切断針棒外管を固定凹溝に固定させるための切断針棒固定部品が設置される。
【００３１】
本発明に記載の螺旋軟組織生検針において、好ましくは、切断刃口は形状が三角形または波形の歯を少なくとも二つ有し、歯がスプリング螺旋管外表面に緊密に接触する。複数組の切断刃口の歯が採取するサンプルの切断効率を向上させ、切断時間を短縮させられる。三角形または波形の歯が採取するサンプルを効果的に切断することに役立ち、歯がスプリング螺旋管の外表面に緊密に接触することにより、歯と螺旋管ねじ山との間に剪断力を形成し、切断効率を向上させる。
【００３２】
本発明に記載の螺旋軟組織生検針において、好ましくは、螺旋針棒固定部品の他端に螺旋針棒または切断針棒を回転させるための回転棒が設置され、回転棒がねじ山を介して螺旋針棒固定部品に接続される。回転棒が螺旋針棒をサンプル採取部位までに回転させ、さらに切断針棒を連れてサンプル採取の切断をさせる。
【００３３】
本発明に記載の螺旋軟組織生検針において、好ましくは、固定凹溝に螺旋針棒および切断針棒に対して位置決めを行うための固定モジュールが設置され、固定モジュールは横断面がＵ型となって、中部にねじ山が貫通するための第１の貫通孔が設置され、螺旋針棒固定部品および切断針棒固定部品が固定凹溝と固定モジュールで構成された空洞内に位置し、回転棒の前端においてのねじ山の外側に螺旋針棒および切断針棒に対して位置決めを行うための第２の位置決め塊が設置される。固定モジュールはスプリング螺旋管に対して位置決めすることができ、位置決め、定量のサンプル採取を実現でき、それとともに、同一直線に多所一回サンプル採取を実現できる。
【００３４】
本発明に記載の螺旋軟組織生検針において、好ましくは、螺旋軟組織生検針は吸収性ゼラチンをサンプル採取部位に押し込むための推進棒をさらに含み、推進棒が円棒を含み、円棒の後部に推進棒を位置決めするための推進棒固定部品が設置される。推進棒が患者傷口の癒合に有利の吸収性ゼラチンをサンプル採取部位に押し込み、患者の傷口癒合に有利である。
【００３５】
本発明に記載の螺旋軟組織生検針において、好ましくは、螺旋軟組織生検針が真空ポンプをさらに含み、取っ手の上端にサンプル採取外管の中空部分と連通する第２の貫通孔が設置され、第２の貫通孔の上端において取っ手の外側に第１の継ぎ手が設置され、回転棒の中部にサンプル採取外管の後端と連通する第３の貫通孔が設置され、第３の貫通孔の外端においての回転棒の外端に第２の継ぎ手が設置され、真空ポンプが第１の継ぎ手または第２の継ぎ手に接続される。穿刺する時、真空ポンプと第１の継ぎ手を接続させ、穿刺時に出た血液を即時に排出でき、同時に、サンプル採取部位の妨害となる液体（例えば、化膿後の膿液）を即時に排除でき、かつ、サンプル採取部位の流動性が良い場合に、サンプルを第２の継ぎ手から直接吸い出してサンプル採取を実現できる。サンプルを位置決めおよび切断する時、真空ポンプと第２の継ぎ手を接続させ、螺旋針棒外管または切断針棒外管に負圧を形成し、採取するサンプルの切断およびサンプル採取部位が他の組織との分離に有利であり、サンプル採取の正確性を向上させる。
【００３６】
本発明に記載の螺旋軟組織生検針において、好ましくは、螺旋軟組織生検針がサンプル採取装置をさらに含み、サンプル採取装置が上部サンプルシェルと下部サンプルシェルを含み、上部サンプルシェルの内部に上部サンプル採取凹溝が設置され、下部サンプルシェルの内部に下部サンプル採取凹溝が設置され、上部サンプル採取凹溝と下部サンプル採取凹溝とは、形状が対応し、閉合後、スプリング螺旋管ねじ山の形状に合致する。サンプル採取が終了した後、採取したサンプルを含んだスプリング螺旋管をサンプル採取装置に置き、装置を閉合し、そしてスプリング螺旋管を逆回転させて取り出せば、採取したサンプルが装置に置かれて、そしてサンプル採取装置を開き、完成したサンプルを取得できる。
【００３７】
本発明に記載の螺旋軟組織生検針の使用方法は、
サンプル採取要求に応じて、サンプル採取針棒のサンプル採取の長さを調整するステップＳ１と、
穿刺針棒をハンドルに固定させ、ハンドルをサンプル採取位置までに穿刺するステップＳ２と、
穿刺針棒をハンドルから取り出し、サンプル採取針棒をハンドルに固定させるステップＳ３と、
ステップＳ１で調整したサンプル採取の長さによりサンプル採取を行うステップＳ４と、
サンプル採取後のサンプルとサンプル採取針棒とを同時にハンドルから取り出すステップＳ５と、
サンプルとサンプル採取針棒を分離するステップＳ６と、を含む。
【００３８】
本発明に記載の螺旋軟組織生検針の使用方法において、好ましくは、さらに、
推進棒により吸収性ゼラチンをサンプル採取部位に押し込むステップＳ７を含む。
【００３９】
本発明に記載の螺旋軟組織生検針の使用方法において、好ましくは、ステップＳ１はさらに、
螺旋針棒と切断針棒を接続させ、螺旋針棒固定部品と固定モジュールとを固定接続させるステップＳ１１と、
固定モジュールとハンドルとを固定接続させるステップＳ１２と、
スプリング螺旋管から出た切断針棒の長さを調整することによりサンプル採取の長さを調節するステップＳ１３と、を含む。
【００４０】
本発明に記載の螺旋軟組織生検針の使用方法において、好ましくは、ステップＳ４はさらに、
回転棒により螺旋針棒をサンプル採取部位にねじ込んで固定するステップＳ４１と、
真空ポンプを第１の継ぎ手に接続させ、真空状態をつくるステップＳ４２と、
回転棒により切断針棒を回転させ、サンプルの側面に対して切断するステップＳ４３と、
回転棒により螺旋針棒を回転させ、サンプルの底部に対して切断するステップＳ４４と、
螺旋針棒および切断針棒を取り出し、サンプル採取を完成するステップＳ４５と、を含む。
【００４１】
本発明に記載の螺旋軟組織生検針の使用方法において、好ましくは、ステップＳ６はさらに、
サンプル採取装置を開き、スプリング螺旋管を下部サンプル採取凹溝に置くステップＳ６１と、
サンプル採取装置を閉じるステップＳ６２と、
スプリング螺旋管を逆回転させ、サンプル採取装置と分離させるステップＳ６３と、
サンプル採取装置を開き、サンプルを取り出すステップＳ６４と、を含む。
【００４２】
本発明の第４の目的を実現するために、提供される螺旋軟組織生検針は、穿刺針棒と、サンプル採取針棒と、穿刺針棒およびサンプル採取針棒を固定するためのハンドルと、サンプル採取針棒の前端の外側に設置される先端カッターとを備え、サンプル採取針棒はサンプル採取部位を固定するための螺旋針棒およびサンプルをサンプル採取部位から分離するための切断針棒を含み、螺旋針棒が中空構造となり、切断針棒が螺旋針棒の外側に設置され、切断針棒の内表面が螺旋針棒の外表面に緊密に接触し、螺旋針棒の前端にスプリング螺旋管が設置され、切断針棒の前端に切断刃口が設置され、先端カッターが切断刃口の外側に設置される。切断針棒の内表面が螺旋針棒の外表面に緊密に接触することにより、切断刃口がサンプルを切断して採取する際、スプリング螺旋管のねじ山と剪断作用を形成し、サンプル採取における切断の効率および正確性を向上させる。スプリング螺旋管がサンプル採取部分を固定できるため、さらにサンプル採取の成功率を向上させ、かつ使用過程において、採取したサンプルを螺旋管ねじ山内に嵌入させることができ、切断針棒に合わせ、サンプル採取の効率を向上させ、定量サンプル採取を実現できる。それとともに、スプリング螺旋管の長さを増加し、同一直線において異なる位置の一回多所サンプル採取を実現できる。先端カッターが微小腫瘍全体を切除して取り出すことができる。
【００４３】
本発明に記載の螺旋軟組織生検針において、好ましくは、スプリング螺旋管の前端に螺旋刃口が設置される。螺旋刃口は、螺旋針棒がサンプル採取部位までに回転する過程において動作しなく、切断刃口がサンプルを切断した後に螺旋針棒を回転させ、スプリング螺旋管を回転させ、この時、螺旋刃口が回転の過程においてサンプルの前端部を切断でき、サンプル採取の正確率を向上させ、サンプル採取の直径が大きい場合にこの効果がさらに明らかである。
【００４４】
本発明に記載の螺旋軟組織生検針において、好ましくは、スプリング螺旋管の前端における最後の一つまたは二つのねじ山の直径が他のねじ山より小さい。スプリング螺旋管の前端が螺旋刃口に接続されるねじ山の直径がやや小さく、採取するサンプルの前端部の断面積を低減でき、サンプル採取の正確率を向上させる。
【００４５】
本発明に記載の螺旋軟組織生検針において、好ましくは、ハンドルは、中間部に穿刺針棒またはサンプル採取針棒が貫通するための貫通孔が設置される取っ手を含み、取っ手の前端に穿刺針棒またはサンプル採取針棒を方向付けて移動させるための中空サンプル採取外管が設置され、サンプル採取外管の外側に第１の位置決め塊が設置され、取っ手の後端に穿刺針棒またはサンプル採取針棒を固定するための固定凹溝が設置され、固定凹溝にそれぞれ螺旋針棒および切断針棒を固定するための２つの階段が設置される。第１の位置決め塊が穿刺位置に対して位置決めすることができ、固定凹溝に合わせてサンプル採取針棒の固定を実現でき、位置決め、定量のサンプル採取に条件をつくる。
【００４６】
本発明に記載の螺旋軟組織生検針において、好ましくは、穿刺針棒は穿刺針および穿刺針の後部に取り付けられる穿刺針棒固定部品を含み、穿刺針の外径がサンプル採取外管の内径と同じである。
【００４７】
本発明に記載の螺旋軟組織生検針において、好ましくは、螺旋針棒はスプリング螺旋管の後部に固定接続される螺旋針棒外管をさらに含み、螺旋針棒外管は中空構造となり、外径がサンプル採取外管の内径より小さく、あるいは同じであり、螺旋針棒外管の外径とスプリング螺旋管の後部の外径が同じであり、または螺旋針棒外管の内径とスプリング螺旋管の後部の内径と同じである。螺旋針棒外管の後部に螺旋針棒外管を固定凹溝に固定させるための螺旋針棒固定部品が設置される。
【００４８】
本発明に記載の螺旋軟組織生検針において、好ましくは、切断針棒が切断針棒外管を含み、切断針棒外管は中空構造となり、外径がサンプル採取外管の内径より小さく、あるいは同じであり、切断刃口が切断針棒外管の前端に設置され、切断針棒外管の後部に外管を固定凹溝に固定させるための切断針棒固定部品が設置される。
【００４９】
本発明に記載の螺旋軟組織生検針において、好ましくは、切断刃口は形状が三角形または波形の歯を少なくとも二つ有し、歯がスプリング螺旋管外表面に緊密に接触する。複数組の切断刃口の歯が採取するサンプルの切断効率を向上させ、切断時間を短縮させられる。三角形または波形の歯が採取するサンプルを効果的に切断することに役立ち、歯がスプリング螺旋管の外表面に緊密に接触することにより、歯と螺旋管ねじ山との間に剪断力を形成し、切断効率を向上させる。
【００５０】
本発明に記載の螺旋軟組織生検針において、好ましくは、螺旋針棒固定部品の他端に螺旋針棒または切断針棒を回転させるための回転棒が設置され、回転棒がねじ山を介して螺旋針棒固定部品に接続される。回転棒が螺旋針棒をサンプル採取部位までに回転させ、さらに切断針棒を連れてサンプル採取の切断をさせる。
【００５１】
本発明に記載の螺旋軟組織生検針において、好ましくは、固定凹溝に螺旋針棒および切断針棒に対して位置決めを行うための固定モジュールが設置され、固定モジュールは横断面がＵ型となり、中部にねじ山が貫通するための第１の貫通孔が設置される。螺旋針棒固定部品および切断針棒固定部品が固定凹溝と固定モジュールで構成された空洞内に位置し、回転棒の前端においてのねじ山の外側に螺旋針棒および切断針棒に対して位置決めを行うための第２の位置決め塊が設置される。固定モジュールはスプリング螺旋管に対して位置決めすることができ、位置決め、定量のサンプル採取を実現し、それとともに、同一直線に多所一回サンプル採取も実現できる。
【００５２】
本発明に記載の螺旋軟組織生検針において、好ましくは、螺旋軟組織生検針は吸収性ゼラチンをサンプル採取部位に押し込むための推進棒をさらに含み、推進棒は円棒を含み、円棒の後部に推進棒を位置決めするための推進棒固定部品が設置される。推進棒が患者傷口の癒合に有利の吸収性ゼラチンをサンプル採取部位に押し込み、患者の傷口の癒合に有利である。
【００５３】
本発明に記載の螺旋軟組織生検針において、好ましくは、好ましくは、螺旋軟組織生検針が真空ポンプをさらに含み、取っ手の上端にサンプル採取外管の中空部分と連通する第２の貫通孔が設置され、第２の貫通孔の上端において取っ手の外側に第１の継ぎ手が設置され、回転棒の中部にサンプル採取外管の後端と連通する第３の貫通孔が設置され、第３の貫通孔の外端において回転棒の外端に第２の継ぎ手が設置され、真空ポンプが第１の継ぎ手または第２の継ぎ手に接続される。穿刺する時、真空ポンプと第１の継ぎ手を接続させ、穿刺時に出た血液を即時に排出でき、同時に、サンプル採取部位の妨害となる液体（例えば、化膿後の膿液）を即時に排除でき、かつ、サンプル採取部位の流動性が良い場合に、サンプルを第２の継ぎ手から直接吸い出すサンプル採取が実現できる。サンプルを位置決めおよび切断する時、真空ポンプと第２の継ぎ手を接続させ、螺旋針棒外管または切断針棒外管に負圧を形成し、採取するサンプルの切断およびサンプル採取部位の他の組織との分離に有利であり、サンプル採取の正確性を向上させる。
【００５４】
本発明に記載の螺旋軟組織生検針において、好ましくは、螺旋軟組織生検針がサンプル採取装置をさらに含み、サンプル採取装置が上部サンプルシェルと下部サンプルシェルを含み、上部サンプルシェルの内部に上部サンプル採取凹溝が設置され、下部サンプルシェルの内部に下部サンプル採取凹溝が設置され、上部サンプル採取凹溝と下部サンプル採取凹溝とは、形状が対応し、閉合後、スプリング螺旋管ねじ山の形状に合致する。サンプル採取が終了した後、採取したサンプルを含んだスプリング螺旋管をサンプル採取装置に置き、サンプル採取装置を閉合し、そしてスプリング螺旋管を逆回転させて取り出せば、採取したサンプルが装置に置かれて、そしてサンプル採取装置を開き、完成したサンプルを取得できる。
【００５５】
本発明に記載の螺旋軟組織生検針において、好ましくは、先端カッター材質が形状記憶合金であり、少なくとも３つのアーチ形先端カッターブレードを含む。形状記憶合金は先端カッターをサンプル採取針棒が取り出すと同時にブレードの閉合を実現でき、採取したサンプルの内側端面を切断または微小腫瘍の全体を切除できる。
【００５６】
本発明に記載の螺旋軟組織生検針は比較的大きいサンプルの採取または微小腫瘍の全体切除の過程において、
サンプル採取位置によりスプリング螺旋杆が突き出す長さを調整するステップＳ０１と、
穿刺針棒をハンドルに固定させ、ハンドルをサンプル採取位置までに穿刺するステップＳ０２と、
穿刺針棒をハンドルから取り出し、サンプル採取針棒をハンドルに固定させるステップＳ０３と、
サンプル採取針棒をサンプル採取位置に回転させて固定し、螺旋針棒及び切断針棒によりサンプルを切断するステップＳ０４と、
サンプル採取後のサンプルとサンプル採取針棒を同時にハンドルから取り出し、その過程において、先端カッターが採取したサンプル内側の端面に対して切断するステップＳ０５と、
サンプルとサンプル採取針棒とを分離させるステップＳ０６と、
推進棒により吸収性ゼラチンをサンプル採取部位に押し込むステップＳ０７と、を含む。
【００５７】
本発明に記載の螺旋軟組織生検針がは比較的大きいサンプルの採取または微小腫瘍の全体切除の過程において、好ましくは、ステップＳ４はさらに、
回転棒により螺旋針棒をサンプル採取部位にねじ込んで固定するステップＳ０４１と、
真空ポンプを第２の継ぎ手に接続させ、真空状態をつくるステップＳ０４２と、
回転棒により切断針棒を回転させ、サンプルの側面に対して切断するステップＳ０４３と、
回転棒により螺旋針棒を回転させ、サンプルの底部に対して切断するステップＳ０４４と、
螺旋針棒および切断針棒を取り出し、サンプル採取を完成するステップＳ０４５と、を含む。
【００５８】
本発明に記載の螺旋軟組織生検針が比較的大きいサンプルの採取または微小腫瘍の全体切除の過程において、好ましくは、ステップＳ６はさらに、
サンプル採取装置を開き、スプリング螺旋管を下部サンプル採取凹溝に置くステップＳ０６１と、
サンプル採取装置を閉じるステップＳ０６２と、
スプリング螺旋管を逆回転させ、サンプル採取装置と分離させるステップＳ０６３と、
サンプル採取装置を開き、サンプルを取り出すステップＳ０６４と、を含む。
【００５９】
本発明において、サンプル採取針棒をサンプル採取位置を固定するための螺旋針棒とサンプルを切断する切断針棒に分けるため、サンプル採取部位のサンプルを固定した後に切断してサンプル採取を行い、同時に、螺旋針棒の前端のスプリング螺旋管伸び量によりサンプルに対して採取量を決め、定量サンプル採取の目的を実現できる。それとともに、スプリング螺旋管の長さを増加することによりサンプル採取部位の同一直線においての一回で多所連続サンプル採取も実現できる。
【００６０】
本発明はさらに真空ポンプを増加し、穿刺の過程において即時に血液または他の妨害となる液体（例えば、化膿後の膿液）を排出でき、サンプル採取の正確率を向上させる。それとともに、サンプルの切断過程において、螺旋針棒外管または切断針棒外管内に負圧を形成し、そのサンプル採取効率も向上させられる。
【発明の効果】
【００６１】
本発明は、切断刃口外側にさらに先端カッターを増加し、サンプルが大きい場合にサンプルの内側端面に対して切断し、サンプルをスムーズにサンプル採取部位の他の組織と分離させ、サンプル採取を成功させる。同時に微小腫瘍の全体を切除できる。
【図面の簡単な説明】
【００６２】
【図１】従来の技術においてのグラブ式生検針の実物図である。
【図２】従来の技術においてのグラブ式生検針のサンプル採取を示す図である。
【図３】従来の技術においてのロータリーカット式生検針の実物図である。
【図４】従来の技術においてのロータリーカット式生検針ロータリーカッターの正面図である。
【図５】従来の技術においてのロータリーカット式生検針のサンプル採取を示す図である。
【図６】螺旋軟組織生検針の正面図である。
【図７】螺旋軟組織生検針のハンドルの正面図である。
【図８】螺旋軟組織生検針の穿刺針棒とハンドルの組立を示す図である。
【図９】螺旋軟組織生検針の螺旋針棒と回転棒の組立を示す図である。
【図１０】螺旋軟組織生検針のスプリング螺旋管の左側面図である。
【図１１】螺旋軟組織生検針の実施例１および実施例３のスプリング螺旋管と切断刃口の組立を示す図である。
【図１２】螺旋軟組織生検針の実施例２のスプリング螺旋管と切断刃口の組立を示す図である。
【図１３】螺旋軟組織生検針の推進棒の正面図である。
【図１４】螺旋軟組織生検針のサンプル採取装置の左側面図である。
【図１５】螺旋軟組織生検針のサンプル採取装置の断面図である。
【図１６】螺旋軟組織生検針の先端カッターの正面図である。
【図１７】螺旋軟組織生検針の使用方法のフローチャートである。
【図１８】螺旋軟組織生検針の使用方法におけるステップＳ１のフローチャートである。
【図１９】螺旋軟組織生検針の使用方法におけるステップＳ４のフローチャートである。
【図２０】螺旋軟組織生検針の使用方法におけるステップＳ６のフローチャートである。
【図２１】螺旋軟組織生検針の螺旋針棒の使用を示す図である。
【図２２】螺旋軟組織生検針の切断針棒の使用を示す図である。
【図２３】螺旋軟組織生検針の多所連続サンプル採取を示す図である。
【図２４】先端カッター付きの螺旋軟組織生検針の使用方法のフローチャートである。
【図２５】先端カッター付きの螺旋軟組織生検針の使用方法におけるステップステップＳ０４のフローチャートである。
【図２６】先端カッター付きの螺旋軟組織生検針の使用方法におけるステップステップＳ０６のフローチャートである。
【図２７】螺旋軟組織生検針の先端カッターの使用を示す図である。
【図２８】螺旋軟組織生検針の実施例１〜３のサンプル採取の効果図である。
【図２９】螺旋軟組織生検針の実施例４のサンプル採取の効果図である。
【図３０】螺旋軟組織生検針の実施例５のサンプル採取の効果図である。
【図３１】螺旋軟組織生検針の実施例６のサンプル採取の効果図である。
【図３２】螺旋軟組織生検針の実施例７のサンプル採取の効果図である。
【符号の説明】
【００６３】
１、穿刺針棒；１１、穿刺針；１２穿刺針棒固定部品；２、サンプル採取針棒；２１、螺旋針棒；２１１、スプリング螺旋管；２１２、螺旋刃口；２１３、螺旋針棒外管；２１４、螺旋針棒固定部品；２２、切断針棒；２２１、切断刃口；２２２、切断針棒外管；２２３、切断針棒固定部品；３、ハンドル；３１、取っ手；３２、サンプル採取外管；３３、第１の位置決め塊；３４、固定凹溝；４、回転棒；４１、ねじ山；５、固定モジュール；５１、第１の貫通孔；５２、第２の位置決め塊；６、推進棒；６１、円棒；６２、推進棒固定部品；７、真空ポンプ；７１、第２の貫通孔；７２、第１の継ぎ手；７３、第３の貫通孔；７４、第２の継ぎ手；８、サンプル採取装置；８１、上部サンプルシェル；８２、上部サンプル採取凹溝；８３、下部サンプルシェル；８４、下部サンプル採取凹溝；９、先端カッター。
【発明を実施するための形態】
【００６４】
軟組織に対するサンプル採取を実現するために、本発明により提供される螺旋軟組織生検針は、図６に示すように、
ハンドル３であって、図７に示すように、中部に穿刺針棒１またはサンプル採取針棒２が貫通するための貫通孔が設置される取っ手３１を含み、取っ手３１の前端に穿刺針棒１またはサンプル採取針棒２を方向付けて移動させるための中空サンプル採取外管３２が設置され、サンプル採取外管３２の外側に第１の位置決め塊３３が設置され、取っ手３１の後端に穿刺針棒１またはサンプル採取針棒２を固定するための固定凹溝３４が設置され、固定凹溝３４に螺旋針棒２１と切断針棒２２をそれぞれ固定するための２つの階段が設置されるハンドル３と、
穿刺針１１および穿刺針１１の後部に取り付けられる穿刺針棒固定部品１２を含み、穿刺針１１の外径がサンプル採取外管３２の内径と同じである穿刺針棒１であって、穿刺針棒１とハンドル３とを組み立てた様子が図８に示す穿刺針棒１と、
サンプル採取針棒２であって、サンプル採取部位を固定するための螺旋針棒２１とサンプルをサンプル採取部位から分離するための切断針棒２２を含み、螺旋針棒２１が中空構造となり、螺旋針棒２１の外径がサンプル採取外管３２の内径と同じであり、螺旋針棒２１の前端にサンプル採取するサンプルの前端面を切断するためのスプリング螺旋管２１１が設置され、スプリング螺旋管２１１の前端に螺旋刃口２１２が設置され、図１０に示すように、スプリング螺旋管２１１の前端における最後の１つまたは２つのねじ山の直径が他のねじ山より小さく、スプリング螺旋管２１１の後部に螺旋針棒外管２１３が固定接続され、螺旋針棒外管２１３が中空構造であって、外径が切断針棒外管２２２の内径と同じであり、螺旋針棒外管２１３の外径がスプリング螺旋管２１１の後部の外径と同じであり、螺旋針棒外管２１３の後部に螺旋針棒外管２１３を固定凹溝３４に固定させる螺旋針棒固定部品２１４が設置され、切断針棒２２が螺旋針棒２１の外側に設置され、切断針棒２２の内表面が螺旋針棒２１の外表面に緊密に接触し、切断針棒２２の前端に切断刃口２２１が設置され、スプリング螺旋管２１１と切断刃口２２１とが組み立てた様子が図１１に示し、切断針棒２２がさらに切断針棒外管２２２を含み、切断針棒外管２２２が中空構造であって、外径がサンプル採取外管３２の内径と同じであり、切断刃口２２１が切断針棒外管２２２の前端に設置され、切断刃口２２１は形状が波形の２つの歯を有し、歯がスプリング螺旋管２１１外表面に緊密に接触し、切断針棒外管２２２の後部に切断針棒外管２２２を固定凹溝３４に固定させる切断針棒固定部品２２３が設置されるサンプル採取針棒２と、
図９に示すように、螺旋針棒固定部品２１４の他端に設置され、ねじ山４１を通して螺旋針棒固定部品２１４に接続される回転棒４と、
固定モジュール５であって、固定凹溝３４に接続され、螺旋針棒２１および切断針棒２２に対して位置決めを行うことに用いられ、固定モジュール５は横断面がＵ型となり、中部にねじ山４１が貫通するための第１の貫通孔５１が設置され、螺旋針棒固定部品２１４と切断針棒固定部品２２３が固定凹溝３４と固定モジュール５により構成された空洞内に位置し、回転棒４の前端のねじ山４１の外側に螺旋針棒２１及び切断針棒２２に対して位置決めを行うための第２の位置決め塊５２が設置される固定モジュール５と、
推進棒６であって、図１３に示すように、円棒６１を含み、円棒６１の後部に推進棒６を位置決めするための推進棒固定部品６２が設置される推進棒６と、
真空ポンプ７であって、図６に示すように、取っ手３１の上端にサンプル採取外管３２の中空部分と連通する第２の貫通孔７１が設置され、第２の貫通孔７１の上端において取っ手３２の外側に第１の継ぎ手７２が設置され、回転棒４の中部にサンプル採取外管３２の後端と連通する第３の貫通孔７３が設置され、第３の貫通孔７３の外端において回転棒４の外端に第２の継ぎ手７４が設置され、真空ポンプ７が第１の継ぎ手７２または第２の継ぎ手７４に接続される真空ポンプ７と、
サンプル採取装置８であって、図１４〜１５に示すように、上部サンプルシェル８１と下部サンプルシェル８３を含み、上部サンプルシェル８１内部に上部サンプル採取凹溝８２が設置され、下部サンプルシェル８３内部に下部サンプル採取凹溝８４が設置され、上部サンプル採取凹溝８２と下部サンプル採取凹溝８４とは、形状が対応し、閉合後、スプリング螺旋管２１１のねじ山の形状に合致するサンプル採取装置８と、
を備える。
【００６５】
図１７〜２０に示すように、本発明に記載される螺旋軟組織生検針は、使用過程において、
ステップＳ１であって、サンプル採取要求に応じて、サンプル採取針棒２のサンプル採取の長さを調整し、
螺旋針棒２１と切断針棒２２とを接続させ、螺旋針棒固定部品２１４と固定モジュール５とを固定接続させるステップＳ１１と、
固定モジュール５とハンドル３とを固定接続させるステップＳ１２と、
スプリング螺旋管２１１が切断針棒２２から突き出した長さを調整することによって、サンプル採取の長さを調節するステップＳ１３とを含むステップＳ１と、
穿刺針棒１をハンドル３に固定させ、ハンドル３をサンプル採取位置までに穿刺するステップＳ２と、
穿刺針棒１をハンドル３から取り出し、サンプル採取針棒２をハンドル３に固定させるステップＳ３と、
ステップＳ４であって、ステップＳ１で調整したサンプル採取の長さによりサンプル採取を行い、図２１〜２３に示すように、
回転棒４により螺旋針棒２１をサンプル採取部位にねじ込んで固定するステップＳ４１と、
真空ポンプ７を第２の継ぎ手７４に接続させ、真空状態をつくるステップＳ４１と、
回転棒４により切断針棒２２を回転させ、サンプル側面に対して切断するステップＳ４３と、
回転棒４により螺旋針棒２１を回転させ、サンプルの底部に対して切断するステップＳ４４と、
螺旋針棒２１および切断針棒２２を取り出し、サンプル採取を完成させるステップＳ４５とを含むステップＳ４と、
サンプル採取後のサンプルとサンプル採取針棒２とを同時にハンドル３から取り出すステップＳ５と、
ステップＳ６であって、サンプルとサンプル採取針棒２とを分離させ、
サンプル採取装置８を開き、スプリング螺旋管２１１を下サンプル下部サンプル採取凹溝８４に置くステップＳ６１と、
サンプル採取装置８を閉じるステップＳ６２と、
スプリング螺旋管２１１を逆回転させ、サンプル採取装置８と分離させるステップＳ６３と、
サンプル採取装置８を開き、サンプルを取り出すステップＳ６４と、を含むステップＳ６と、
推進棒６により吸収性ゼラチンをサンプル採取部位に押し込むステップＳ７と、
を含む。
【実施例１】
【００６６】
筋肉組織に対してサンプル採取を行い、
螺旋針棒２１と切断針棒２２とを接続させ、螺旋針棒固定部品２１４と固定モジュール５とを固定接続させるステップＳ１１と、
固定モジュール５とハンドル３とを固定接続させるステップＳ１２と、
スプリング螺旋管２１１が切断針棒２２から突き出した長さを調整することによってサンプル採取の長さを調節し、スプリング螺旋管２１１の直径を１ｍｍにし、スプリング螺旋管２１１の直径及び突き出した長さにより定量サンプル採取を実現できるステップＳ１３と、
穿刺針棒１をハンドル３に固定させ、ハンドル３をサンプル採取位置までに穿刺するステップＳ１４と、
穿刺針棒１をハンドル３から取り出し、サンプル採取針棒２をハンドル３に固定させるステップＳ１５と、
回転棒４により螺旋針棒２１をサンプル採取部位にねじ込んで固定するステップＳ１６と、
回転棒４により切断針棒２２を回転させ、サンプル側面に対して切断し、切断過程において、切断刃口２２１がスプリング螺旋管２１１のねじ山に緊密に接触し、発生した剪断力がサンプルをキレイに切断できるステップＳ１７と、
回転棒４により螺旋針棒２１を回転させ、サンプル底部に対して切断するステップＳ１８と、
螺旋針棒２１および切断針棒２２を取り出し、サンプル採取を完成するステップＳ１９と、
推進棒６により吸収性ゼラチンをサンプル採取部位に押し込み、推進棒６とサンプル採取外管３２を取り出した後、サンプル採取部位の組織が自動的に吸収性ゼラチンをサンプル採取の傷口内部に閉合させ、サンプル採取の傷口の癒合に有利であるステップＳ１１０と、
を含む。
【００６７】
本実施例のサンプル採取の効果は図２８に示すように、図からみれば、採取したサンプルは比較的良い完全性及び連続性を有し、サンプルに対する更なる検測、例えばサンプルスライス、位置決め検出等に良好の材料基礎を提供する。
【実施例２】
【００６８】
組織が穿刺過程においての出血情況を低減させるために、本実施例は真空ポンプを増設し、筋肉組織に対してサンプル採取を行い、
螺旋針棒２１と切断針棒２２とを接続させ、螺旋針棒固定部品２１４と固定モジュール５とを固定接続させるステップＳ２１と、
固定モジュール５とハンドル３とを固定接続させるステップＳ２２と、
スプリング螺旋管２１１が切断針棒２２から突き出した長さを調整することによってサンプル採取の長さを調節し、スプリング螺旋管２１１の直径を１ｍｍにするステップＳ２３と、
真空ポンプ７を第１の継ぎ手７２に接続させ、真空状態をつくるステップＳ２４と、
真空状態で、穿刺針棒１をハンドル３に固定させ、ハンドル３をサンプル採取位置までに穿刺し、穿刺過程に出た血液が第１の継ぎ手７２内から抽出されるステップＳ２５と、
穿刺針棒１をハンドル３から取り出し、サンプル採取針棒２をハンドル３に固定させるステップＳ２６と、
真空ポンプ７を第２の継ぎ手７４に接続させ、真空状態をつくるステップＳ２７と、
真空状態で、回転棒４で螺旋針棒２１をサンプル採取部位にねじ込んで固定するステップＳ２８と、
真空状態で、回転棒４で切断針棒２２を回転させ、サンプル側面に対して切断し、切断過程において、切断刃口２２１がスプリング螺旋管２１１のねじ山に緊密に接触することによって形成した剪断力がサンプルをキレイに切断できるステップＳ２９と、
真空状態で、回転棒４で螺旋針棒２１を回転させ、サンプル底部に対して切断するステップＳ２１０と、
螺旋針棒２１および切断針棒２２を取り出し、サンプル採取を完成するステップＳ２１１と、
推進棒６により吸収性ゼラチンをサンプル採取部位に押し込み、推進棒６とサンプル採取外管３２を取り出した後、サンプル採取部位の組織が自動的に吸収性ゼラチンをサンプル採取の傷口内部に閉合させ、傷口の癒合に有利であるステップＳ２１２と、
を含む。
【００６９】
本実施例のサンプル採取の効果は図２８に示すように、図からみれば、採取したサンプルは比較的良い完全性及び連続性を有し、サンプルに対する更なる検測、例えばサンプルスライス、位置決め検出等に良好の材料基礎を提供する。
【実施例３】
【００７０】
サンプル採取の利便のために、本実施例はサンプル採取装置を増設し、筋肉組織に対してサンプル採取を行い、
螺旋針棒２１と切断針棒２２とを接続させ、螺旋針棒固定部品２１４と固定モジュール５とを固定接続させるステップＳ３１と、
固定モジュール５とハンドル３とを固定接続させるステップＳ３２と、
スプリング螺旋管２１１が切断針棒２２から突き出した長さを調整することによってサンプル採取の長さを調節し、スプリング螺旋管２１１の直径を１ｍｍにし、スプリング螺旋管２１１の直径及び突き出した長さにより定量サンプル採取を実現できるステップＳ３３と、
真空ポンプ７を第１の継ぎ手７２に接続させ、真空状態をつくるステップＳ３４と、
真空状態で、穿刺針棒１をハンドル３に固定させ、ハンドル３をサンプル採取位置までに穿刺し、穿刺過程に出た血液が第１の継ぎ手７２内から抽出されるステップＳ３５と、
穿刺針棒１をハンドル３から取り出し、サンプル採取針棒２をハンドル３に固定させるステップＳ３６と、
真空ポンプ７を第２の継ぎ手７４に接続させ、真空状態をつくるステップＳ３７と、
真空状態で、回転棒４により螺旋針棒２１をサンプル採取部位にねじ込んで固定するステップＳ３８と、
真空状態で、回転棒４で切断針棒２２を回転させ、サンプル側面に対して切断し、切断過程において、切断刃口２２１がスプリング螺旋管２１１のねじ山に緊密に接触することによって形成した剪断力がサンプルを綺麗に切断できるステップＳ３９と、
真空状態で、回転棒４で螺旋針棒２１を回転させ、サンプル底部に対して切断するステップＳ３１０と、
螺旋針棒２１および切断針棒２２を取り出し、サンプル採取を完成するステップＳ３１１と、
サンプル採取後のサンプルとサンプル採取針棒２とを同時にハンドル３から取り出すステップＳ３１２と、
サンプル採取装置８を開き、スプリング螺旋管２１１を下部サンプル採取凹溝８４に置き、サンプル採取装置８を閉じるステップＳ３１３と、
スプリング螺旋管２１１を逆回転させ、サンプル採取装置８から分離させるステップＳ３１４と、
サンプル採取装置８を開き、サンプルを取り出すステップＳ３１５と、
推進棒６により吸収性ゼラチンをサンプル採取部位に押し込み、推進棒６とサンプル採取外管３２を取り出した後、サンプル採取部位の組織が自動的に吸収性ゼラチンをサンプル採取の傷口内部に閉合させ、傷口の癒合に有利であるステップＳ３１６と、
を含む。
【００７１】
本実施例のサンプル採取の効果は図２８に示すように、図からみれば、採取したサンプルは比較的良い完全性及び連続性を有し、ササンプルに対する更なる検測、例えばサンプルスライス、位置決め検出等に良好の材料基礎を提供する。
【実施例４】
【００７２】
一回に多所連続のサンプル採取を実現するために、スプリング螺旋管２１１が切断針棒２２から突き出した長さを増加させ、筋肉組織に対してサンプル採取を行い、
螺旋針棒２１と切断針棒２２とを接続させ、螺旋針棒固定部品２１４と固定モジュール５とを固定接続させるステップＳ４１と、
固定モジュール５とハンドル３とを固定接続させるステップＳ４２と、
スプリング螺旋管２１１が切断針棒２２から突き出した長さを調整することによってサンプル採取の長さを調節し、スプリング螺旋管２１１の直径を１ｍｍにし、スプリング螺旋管２１１の直径及び突き出した長さにより定量サンプル採取を実現でき、スプリング螺旋管２１１が切断針棒２２から突き出す長さを増加させ、一回に多所連続のサンプル採取を実現できるステップＳ４３と、
真空ポンプ７を第１の継ぎ手７２に接続させ、真空状態をつくるステップＳ４４と、
真空状態で、穿刺針棒１をハンドル３に固定させ、ハンドル３をサンプル採取位置までに穿刺し、穿刺過程に出た血液が第１の継ぎ手７２内から抽出されるステップＳ４５と、
穿刺針棒１をハンドル３から取り出し、サンプル採取針棒２をハンドル３に固定させるステップＳ４６と、
真空ポンプ７を第２の継ぎ手７４に接続させ、真空状態をつくるステップＳ４７と、
真空状態で、回転棒４で螺旋針棒２１をサンプル採取部位にねじ込んで固定するステップＳ４８と、
真空状態で、回転棒４で切断針棒２２を回転させ、サンプル側面に対して切断し、切断過程において、切断刃口２２１がスプリング螺旋管２１１のねじ山に緊密に接触することによって形成した剪断力がサンプルを綺麗に切断できるステップＳ４９と、
真空状態で、回転棒４で螺旋針棒２１を回転させ、サンプル底部に対して切断するステップＳ４１０と、
螺旋針棒２１および切断針棒２２を取り出し、サンプル採取を完成するステップＳ４１１と、
採取したサンプルとサンプル採取針棒２とを同時にハンドル３から取り出すステップＳ４１２と、
サンプル採取装置８を開き、スプリング螺旋管２１１を下サンプル採取凹溝８４に置き、サンプル採取装置８を閉じるステップＳ４１３と、
スプリング螺旋管２１１を逆回転させ、サンプル採取装置８から分離させるステップＳ４１４と、
サンプル採取装置８を開き、サンプルを取り出すステップＳ４１５と、
推進棒６により吸収性ゼラチンをサンプル採取部位に押し込み、推進棒６とサンプル採取外管３２を取り出した後、サンプル採取部位の組織が自動的に吸収性ゼラチンをサンプル採取の傷口内部に閉合させ、傷口の癒合に有利であるステップＳ４１６と、
を含む。
【００７３】
本実施例のサンプル採取の効果は図２９に示すように、図からみれば、採取したサンプルは比較的良い完全性及び連続性を有し、サンプルに対する更なる検測、例えばサンプルスライス、位置決め検出等に良好の材料基礎を提供する。
【実施例５】
【００７４】
本発明に記載される螺旋軟組織生検針は異なる組織に対してサンプル採取を行うことができ、肝臓組織に対してサンプル採取を行い、
螺旋針棒２１と切断針棒２２とを接続させ、螺旋針棒固定部品２１４と固定モジュール５とを固定接続させるステップＳ５１と、
固定モジュール５とハンドル３とを固定接続させるステップＳ５２と、
スプリング螺旋管２１１が切断針棒２２から突き出した長さを調整することによってサンプル採取の長さを調節し、スプリング螺旋管２１１の直径を２ｍｍにし、スプリング螺旋管２１１の直径及び突き出した長さにより定量サンプル採取を実現でき、スプリング螺旋管２１１が切断針棒２２から突き出す長さを増加させ、一回に多所連続のサンプル採取を実現できるステップＳ５３と、
真空ポンプ７を第１の継ぎ手７２に接続させ、真空状態をつくるステップＳ５４と、
真空状態で、穿刺針棒１をハンドル３に固定させ、ハンドル３をサンプル採取位置までに穿刺し、穿刺過程に出た血液が第１の継ぎ手７２内から抽出されるステップＳ５５と、
穿刺針棒１をハンドル３から取り出し、サンプル採取針棒２をハンドル３に固定させるステップＳ５６と、
真空ポンプ７を第２の継ぎ手７４に接続させ、真空状態をつくるステップＳ５７と、
真空状態で、回転棒４で螺旋針棒２１をサンプル採取部位にねじ込んで固定するステップＳ５８と、
真空状態で、回転棒４で切断針棒２２を回転させ、サンプル側面に対して切断し、切断過程において、切断刃口２２１がスプリング螺旋管２１１のねじ山に緊密に接触することによって形成した剪断力がサンプルを綺麗に切断できるステップＳ５９と、
真空状態で、回転棒４で螺旋針棒２１を回転させ、サンプル底部に対して切断するステップＳ５１０と、
螺旋針棒２１と切断針棒２２を取り出し、サンプル採取を完成するステップＳ５１１と、
採取後のサンプルとサンプル採取針棒２とを同時にハンドル３から取り出すステップＳ５１２と、
サンプル採取装置８を開き、スプリング螺旋管２１１を下サンプル採取凹溝８４に置き、サンプル採取装置８を閉じるステップＳ５１３と、
スプリング螺旋管２１１を逆回転させ、サンプル採取装置８から分離させるステップＳ５１４と、
サンプル採取装置８を開き、サンプルを取り出すステップＳ５１５と、
推進棒６により吸収性ゼラチンをサンプル採取部位に押し込み、推進棒６とサンプル採取外管３２を取り出した後、サンプル採取部位の組織が自動的に吸収性ゼラチンをサンプル採取の傷口内部に閉合させ、傷口の癒合に有利であるステップＳ５１６と、
を含む。
【００７５】
本実施例のサンプル採取の効果は図３０に示すように、図からみれば、採取したサンプルは比較的良い完全性及び連続性を有し、サンプルに対する更なる検測、例えばサンプルスライス、位置決め検出等に良好の材料基礎を提供する。
【００７６】
比較的大きいサンプルに対するサンプル採取を実現するために、本発明により提供される螺旋軟組織生検針は、図６に示すように、
ハンドル３であって、図７に示すように、中部に穿刺針棒１またはサンプル採取針棒２が貫通するための貫通孔が設置される取っ手３１を含み、取っ手３１の前端に穿刺針棒１またはサンプル採取針棒２を方向付けて移動させるための中空サンプル採取外管３２が設置され、サンプル採取外管３２の外側に第１の位置決め塊３３が設置され、取っ手３１の後端に穿刺針棒１またはサンプル採取針棒２を固定するための固定凹溝３４が設置され、固定凹溝３４に螺旋針棒２１と切断針棒２２をそれぞれ固定するための２つの階段が設置されるハンドル３と、
穿刺針１１および穿刺針１１の後部に取り付けられる穿刺針棒固定部品１２を含み、穿刺針１１の外径がサンプル採取外管３２の内径と同じである穿刺針棒１であって、穿刺針棒１とハンドル３とを組み立てた様子が図８に示す穿刺針棒１と、
サンプル採取針棒２であって、サンプル採取部位を固定するための螺旋針棒２１とサンプルをサンプル採取部位から分離するための切断針棒２２を含み、螺旋針棒２１が中空構造となり、螺旋針棒２１の外径がサンプル採取外管３２の内径と同じであり、螺旋針棒２１の前端にサンプル採取するサンプルの前端面を切断するためのスプリング螺旋管２１１が設置され、スプリング螺旋管２１１の前端に螺旋刃口２１２が設置され、図１０に示すように、スプリング螺旋管２１１の後部に螺旋針棒外管２１３が固定接続され、螺旋針棒外管２１３が中空構造であって、内径が切断針棒外管２２２の外径と同じであり、螺旋針棒外管２１３の内径がスプリング螺旋管２１１の後部の内径と同じであり、螺旋針棒外管２１３の後部に螺旋針棒外管２１３を固定凹溝３４に固定させる螺旋針棒固定部品２１４が設置され、切断針棒２２が螺旋針棒２１の内側に設置され、切断針棒２２の外表面が螺旋針棒２１の内表面に緊密に接触し、切断針棒２２の前端に切断刃口２２１が設置され、スプリング螺旋管２１１と切断刃口２２１とが組み立てた様子が図１２に示し、切断針棒２２がさらに切断針棒外管２２２を含み、切断針棒外管２２２が中空構造であって、外径が螺旋針棒外管２１３の内径と同じであり、切断刃口２２１が切断針棒外管２２２の前端に設置され、切断刃口２２１は形状が波形の２つの歯を有し、歯がスプリング螺旋管２１１の内表面に緊密に接触し、切断針棒外管２２２の後部に切断針棒外管２２２を固定凹溝３４に固定させる切断針棒固定部品２２３が設置されるサンプル採取針棒２と、
図９に示すように、螺旋針棒固定部品２１４の他端に設置され、ねじ山４１を通して螺旋針棒固定部品２１４に接続される回転棒４と、
固定モジュール５であって、固定凹溝３４に接続され、螺旋針棒２１および切断針棒２２に対して位置決めを行うことに用いられ、固定モジュール５は横断面がＵ型となって、中部にねじ山４１が貫通するための第１の貫通孔５１が設置され、螺旋針棒固定部品２１４と切断針棒固定部品２２３が固定凹溝３４と固定モジュール５により構成された空洞内に位置し、回転棒４の前端のねじ山４１の外側に螺旋針棒２１及び切断針棒２２に対して位置決めを行うための第２の位置決め塊５２が設置される固定モジュール５と、
推進棒６であって、図１３に示すように、円棒６１を含み、円棒６１の後部に推進棒６を位置決めするための推進棒固定部品６２が設置される推進棒６と、
真空ポンプ７であって、図６に示すように、取っ手３１の上端にサンプル採取外管３２の中空部分と連通する第２の貫通孔７１が設置され、第２の貫通孔７１の上端において取っ手３２の外側に第１の継ぎ手７２が設置され、回転棒４の中部にサンプル採取外管３２の後端と連通する第３の貫通孔７３が設置され、第３の貫通孔７３の外端において回転棒４の外端に第２の継ぎ手７４が設置され、真空ポンプ７が第１の継ぎ手７２または第２の継ぎ手７４に接続される真空ポンプ７と、
サンプル採取装置８であって、図１４〜１５に示すように、上部サンプル採取シェル８１と下部サンプル採取シェル８３を含み、上部サンプル採取シェル８１内部に上部サンプル採取凹溝８２が設置され、下部サンプル採取シェル８３内部に下部サンプル採取凹溝８４が設置され、上部サンプル採取凹溝８２と下部サンプル採取凹溝８４とは、形状が対応し、閉合後、スプリング螺旋管２１１のねじ山の形状に合致するサンプル採取装置８と、
を備える。
【００７７】
図１７〜２０に示すように、本発明に記載される螺旋軟組織生検針は、使用過程において、
ステップＳ１であって、サンプル採取要求に応じて、サンプル採取針棒２のサンプル採取の長さを調整し、
螺旋針棒２１と切断針棒２２とを接続させ、螺旋針棒固定部品２１４と固定モジュール５とを固定接続させるステップＳ１１と、
固定モジュール５とハンドル３とを固定接続させるステップＳ１２と、
スプリング螺旋管２１１が切断針棒２２から突き出した長さを調整することによって、サンプル採取の長さを調節するステップＳ１３とを含むステップＳ１と、
穿刺針棒１をハンドル３に固定させ、ハンドル３をサンプル採取位置までに穿刺するステップＳ２と、
穿刺針棒１をハンドル３から取り出し、サンプル採取針棒２をハンドル３に固定させるステップＳ３と、
ステップＳ４であって、ステップＳ１で調整したサンプル採取の長さによりサンプル採取を行い、図２１〜２３に示すように、
回転棒４により螺旋針棒２１をサンプル採取部位にねじ込んで固定するステップＳ４１と、
真空ポンプ７を第２の継ぎ手７４に接続させ、真空状態をつくるステップＳ４２と、
回転棒４により切断針棒２２を回転させ、サンプル側面に対して切断するステップＳ４３と、
回転棒４により螺旋針棒２１を回転させ、サンプルの底部に対して切断するステップＳ４４と、
螺旋針棒２１および切断針棒２２を取り出し、サンプル採取を完成させるステップＳ４５とを含むステップＳ４と、
サンプル採取後のサンプルとサンプル採取針棒２とを同時にハンドル３から取り出すステップＳ５と、
ステップＳ６であって、サンプルとサンプル採取針棒２とを分離させ、
サンプル採取装置８を開き、スプリング螺旋管２１１を下サンプル採取凹溝８４に置くステップＳ６１と、
サンプル採取装置８を閉じるステップＳ６２と、
スプリング螺旋管２１１を逆回転させ、サンプル採取装置８と分離させるステップＳ６３と、
サンプル採取装置８を開き、サンプルを取り出すステップＳ６４と、を含むステップＳ６と、
推進棒６により吸収性ゼラチンをサンプル採取部位に押し込むステップＳ７と、
を含む。
【実施例６】
【００７８】
比較的大きいサンプルに対するサンプル採取を実現するために、比較的大きい直径を有するスプリング螺旋管２１１を用い、それとともに、切断刃口２２１をスプリング螺旋管２１１に設置し、筋肉組織に対してサンプル採取を行い、
螺旋針棒２１と切断針棒２２とを接続させ、螺旋針棒固定部品２１４と固定モジュール５とを固定接続させるステップＳ６１と、
固定モジュール５とハンドル３とを固定接続させるステップＳ６２と、
スプリング螺旋管２１１が切断針棒２２から突き出した長さを調整することによってサンプル採取の長さを調節し、スプリング螺旋管２１１の直径を３ｍｍにし、スプリング螺旋管２１１の直径及び突き出した長さにより定量サンプル採取を実現でき、スプリング螺旋管２１１が切断針棒２２から突き出す長さを増加させ、一回に多所連続のサンプル採取を実現できるステップＳ６３と、
真空ポンプ７を第１の継ぎ手７２に接続させ、真空状態をつくるステップＳ６４と、
真空状態で、穿刺針棒１をハンドル３に固定させ、ハンドル３をサンプル採取位置までに穿刺し、穿刺過程に出た血液が第１の継ぎ手７２内から抽出されるステップＳ６５と、
穿刺針棒１をハンドル３から取り出し、サンプル採取針棒２をハンドル３に固定させるステップＳ６６と、
真空ポンプ７を第２の継ぎ手７４に接続させ、真空状態をつくるステップＳ６７と、
真空状態で、回転棒４で螺旋針棒２１をサンプル採取部位にねじ込んで固定するステップＳ６８と、
真空状態で、回転棒４で切断針棒２２を回転させ、サンプル側面に対して切断し、切断過程において、切断刃口２２１がスプリング螺旋管２１１のねじ山に緊密に接触することによって形成した剪断力がサンプルを綺麗に切断できるステップＳ６９と、
真空状態で、回転棒４で螺旋針棒２１を回転させ、サンプル底部に対して切断するステップＳ６１０と、
螺旋針棒２１および切断針棒２２を取り出し、サンプル採取を完成するステップＳ６１１と、
サンプル採取後のサンプルとサンプル採取針棒２とを同時にハンドル３から取り出すステップＳ６１２と、
サンプル採取装置８を開き、スプリング螺旋管２１１を下サンプル採取凹溝８４に置き、サンプル採取装置８を閉じるステップＳ６１３と、
スプリング螺旋管２１１を逆回転させ、サンプル採取装置８から分離させるステップＳ６１４と、
サンプル採取装置８を開き、サンプルを取り出すステップＳ６１５と、
推進棒６により吸収性ゼラチンをサンプル採取部位に押し込み、推進棒６とサンプル採取外管３２を取り出した後、サンプル採取部位の組織が自動的に吸収性ゼラチンをサンプル採取の傷口内部に閉合させ、傷口の癒合に有利であるステップＳ６１６と、
を含む。
【００７９】
本実施例のサンプル採取の効果は図３１に示すように、図からみれば、採取したサンプルは比較的良い完全性及び連続性を有し、サンプルに対する更なる検測、例えばサンプルスライス、位置決め検出等に良好の材料基礎を提供する。
【実施例７】
【００８０】
本発明に記載される螺旋軟組織生検針は異なる組織に対してサンプル採取を行うことができ、脂肪組織に対してサンプル採取を行い、
螺旋針棒２１と切断針棒２２とを接続させ、螺旋針棒固定部品２１４と固定モジュール５とを固定接続させるステップＳ７１と、
固定モジュール５とハンドル３とを固定接続させるステップＳ７２と、
スプリング螺旋管２１１が切断針棒２２から突き出した長さを調整することによってサンプル採取の長さを調節し、スプリング螺旋管２１１の直径を６ｍｍにし、スプリング螺旋管２１１の直径及び突き出した長さにより定量サンプル採取を実現でき、スプリング螺旋管２１１が切断針棒２２から突き出す長さを増加させ、一回に多所連続のサンプル採取を実現できるステップＳ７３と、
真空ポンプ７を第１の継ぎ手７２に接続させ、真空状態をつくるステップＳ７４と、
真空状態で、穿刺針棒１をハンドル３に固定させ、ハンドル３をサンプル採取位置までに穿刺し、穿刺過程に出た血液が第１の継ぎ手７２内から抽出されるステップＳ７５と、
穿刺針棒１をハンドル３から取り出し、サンプル採取針棒２をハンドル３に固定させるステップＳ７６と、
真空ポンプ７を第２の継ぎ手７４に接続させ、真空状態をつくるステップＳ７７と、
真空状態で、回転棒４で螺旋針棒２１をサンプル採取部位にねじ込んで固定するステップＳ７８と、
真空状態で、回転棒４で切断針棒２２を回転させ、サンプル側面に対して切断し、切断過程において、切断刃口２２１がスプリング螺旋管２１１のねじ山に緊密に接触することによって形成した剪断力がサンプルを綺麗に切断できるステップＳ７９と、
真空状態で、回転棒４で螺旋針棒２１を回転させ、サンプル底部に対して切断するステップＳ７１０と、
螺旋針棒２１および切断針棒２２を取り出し、サンプル採取を完成するステップＳ７１１と、
サンプル採取後のサンプルとサンプル採取針棒２とを同時にハンドル３から取り出すステップＳ７１２と、
サンプル採取装置８を開き、スプリング螺旋管２１１を下サンプル採取凹溝８４に置き、サンプル採取装置８を閉じるステップＳ７１３と、
スプリング螺旋管２１１を逆回転させ、サンプル採取装置８から分離させるステップＳ７１４と、
サンプル採取装置８を開き、サンプルを取り出すステップＳ７１５と、
推進棒６により吸収性ゼラチンをサンプル採取部位に押し込み、推進棒６とサンプル採取外管３２を取り出した後、サンプル採取部位の組織が自動的に吸収性ゼラチンをサンプル採取の傷口内部に閉合させ、傷口の癒合に有利であるステップＳ７１６と、
を含む。
【００８１】
本実施例のサンプル採取の効果は図３１に示すように、図からみれば、採取したサンプルは比較的良い完全性及び連続性を有し、サンプルに対する更なる検測、例えばサンプルスライス、位置決め検出等に良好の材料基礎を提供する。
【００８２】
微小腫瘍の取り出しまたは低侵襲手術器械としての使用を実現するために、本発明により提供される螺旋軟組織生検針は、図６に示すように、
ハンドル３であって、図７に示すように、中部に穿刺針棒１またはサンプル採取針棒２が貫通するための貫通孔が設置される取っ手３１を含み、取っ手３１の前端に穿刺針棒１またはサンプル採取針棒２を方向付けて移動させるための中空サンプル採取外管３２が設置され、サンプル採取外管３２の外側に第１の位置決め塊３３が設置され、取っ手３１の後端に穿刺針棒１またはサンプル採取針棒２を固定するための固定凹溝３４が設置され、固定凹溝３４に螺旋針棒２１と切断針棒２２をそれぞれ固定するための２つの階段が設置されるハンドル３と、
穿刺針１１と穿刺針１１の後部に取り付けられる穿刺針棒固定部品１２を含み、穿刺針１１の外径がサンプル採取外管３２の内径と同じである穿刺針棒１であって、穿刺針棒１とハンドル３とを組み立てた様子が図８に示す穿刺針棒１と、
サンプル採取針棒２であって、サンプル採取部位を固定するための螺旋針棒２１とサンプルをサンプル採取部位から分離するための切断針棒２２を含み、螺旋針棒２１が中空構造となり、螺旋針棒２１の外径がサンプル採取外管３２の内径と同じであり、螺旋針棒２１の前端にサンプル採取するサンプルの前端面を切断するためのスプリング螺旋管２１１が設置され、スプリング螺旋管２１１の前端に螺旋刃口２１２が設置され、図１０に示すように、スプリング螺旋管２１１の前端における最後の１つまたは２つのねじ山の直径が他のねじ山より小さく、スプリング螺旋管２１１の後部に螺旋針棒外管２１３が固定接続され、螺旋針棒外管２１３が中空構造であって、外径が切断針棒外管２２２の内径と同じであり、螺旋針棒外管２１３の外径がスプリング螺旋管２１１の後部の外径と同じであり、螺旋針棒外管２１３の後部に螺旋針棒外管２１３を固定凹溝３４に固定させる螺旋針棒固定部品２１４が設置され、切断針棒２２が螺旋針棒２１の外側に設置され、切断針棒２２の内表面が螺旋針棒２１の外表面に緊密に接触し、切断針棒２２の前端に切断刃口２２１が設置され、スプリング螺旋管２１１と切断刃口２２１とが組み立てた様子が図１１に示し、切断針棒２２がさらに切断針棒外管２２２を含み、切断針棒外管２２２が中空構造であって、外径がサンプル採取外管３２の内径と同じであり、切断刃口２２１が切断針棒外管２２２の前端に設置され、切断刃口２２１は形状が波形の２つの歯を有し、歯がスプリング螺旋管２１１外表面に緊密に接触し、切断針棒外管２２２の後部に切断針棒外管２２２を固定凹溝３４に固定させる切断針棒固定部品２２３が設置されるサンプル採取針棒２と、
図９に示すように、螺旋針棒固定部品２１４の他端に設置され、ねじ山４１を通して螺旋針棒固定部品２１４に接続される回転棒４と、
固定モジュール５であって、固定凹溝３４に接続され、螺旋針棒２１および切断針棒２２に対して位置決めを行うことに用いられ、固定モジュール５は横断面がＵ型となって、中部にねじ山４１が貫通するための第１の貫通孔５１が設置され、螺旋針棒固定部品２１４と切断針棒固定部品２２３が固定凹溝３４と固定モジュール５により構成された空洞内に位置し、回転棒４の前端のねじ山４１の外側に螺旋針棒２１及び切断針棒２２に対して位置決めを行うための第２の位置決め塊５２が設置される固定モジュール５と、
推進棒６であって、図１３に示すように、円棒６１を含み、円棒６１の後部に推進棒６を位置決めするための推進棒固定部品６２が設置される推進棒６と、
真空ポンプ７であって、図６に示すように、取っ手３１の上端にサンプル採取外管３２の中空部分と連通する第２の貫通孔７１が設置され、第２の貫通孔７１の上端において取っ手３２の外側に第１の継ぎ手７２が設置され、回転棒４の中部にサンプル採取外管３２の後端と連通する第３の貫通孔７３が設置され、第３の貫通孔７３の外端において回転棒４の外端に第２の継ぎ手７４が設置され、真空ポンプ７が第１の継ぎ手７２または第２の継ぎ手７４に接続される真空ポンプ７と、
サンプル採取装置８であって、図１４〜１５に示すように、上部サンプル採取シェル８１と下部サンプル採取シェル８３を含み、上部サンプル採取シェル８１内部に上部サンプル採取凹溝８２が設置され、下部サンプル採取シェル８３内部に下部サンプル採取凹溝８４が設置され、上部サンプル採取凹溝８２と下部サンプル採取凹溝８４とは、形状が対応し、閉合後、スプリング螺旋管２１１のねじ山の形状に合致するサンプル採取装置８と、
先端カッター９であって、図１６に示すように、サンプル採取針棒２の前端の外側に設置され、材質が形状記憶合金であり、先端カッター９が少なくとも３つのアーチ形先端カッターブレードを含む先端カッター９と、
を備える。
【００８３】
本発明に記載される螺旋軟組織生検針は、比較的大きいサンプルに対するサンプル採取または微小腫瘍全体切除の過程において、
サンプル採取位置によりスプリング螺旋杆２１が突き出す長さを調整するステップＳ０１と、
穿刺針棒１をハンドル３に固定させ、ハンドル３をサンプル採取位置までに穿刺するステップＳ０２と、
穿刺針棒１をハンドル３から取り出し、サンプル採取針棒２をハンドルに固定させるステップＳ０３と、
ステップＳ０４であって、サンプル採取針棒２をサンプル採取位置に回転させて固定し、螺旋針棒２１及び切断針棒２２によりサンプルを切断し、図２１〜２３に示すように、
回転棒４で螺旋針棒２１をサンプル採取部位にねじ込んで固定するステップＳ０４１と、
真空ポンプ７を第２の継ぎ手７４に接続させ、真空状態をつくるステップＳ０４２と、
回転棒４で切断針棒２２を回転させ、サンプル側面に対して切断するステップＳ０４３と、
回転棒４により螺旋針棒２１を回転させ、サンプルの底部に対して切断するステップＳ０４４と、
螺旋針棒２１および切断針棒２２を取り出し、サンプル採取を完成させるステップＳ０４５と、を含むステップＳ０４と、
図２７に示すように、サンプル採取後のサンプルとサンプル採取針棒２とを同時にハンドル３から取り出し、取り出し過程において、先端カッター９がサンプル採取したサンプル内側の端面に対して切断を行うステップＳ０５と、
ステップＳ０６であって、サンプルとサンプル採取針棒２とを分離させ、
サンプル採取装置８を開き、スプリング螺旋管２１１を下サンプル採取凹溝８４に置くステップＳ０６１と、
サンプル採取装置８を閉じるステップＳ０６２と、
スプリング螺旋管２１１を逆回転させ、サンプル採取装置８と分離させるステップＳ０６３と、
サンプル採取装置８を開き、サンプルを取り出すステップＳ０６４と、を含むステップＳ０６と、
推進棒６により吸収性ゼラチンをサンプル採取部位に押し込むステップＳ０７と、
を含む。
【実施例８】
【００８４】
本発明に記載される螺旋軟組織生検針は、微小腫瘍の全体サンプル採取を実現でき、
螺旋針棒２１と切断針棒２２とを接続させ、螺旋針棒固定部品２１４と固定モジュール５とを固定接続させるステップＳ８１と、
固定モジュール５とハンドル３とを固定接続させるステップＳ８２と、
スプリング螺旋管２１１が切断針棒２２から突き出した長さを調整することによってサンプル採取の長さを調節し、スプリング螺旋管２１１の直径を３ｍｍにするステップＳ８３と、
真空ポンプ７を第１の継ぎ手７２に接続させ、真空状態をつくるステップＳ８４と、
真空状態で、穿刺針棒１をハンドル３に固定させ、ハンドル３をサンプル採取位置までに穿刺し、穿刺過程に出た血液が第１の継ぎ手７２内から抽出されるステップＳ８５と、
穿刺針棒１をハンドル３から取り出し、サンプル採取針棒２をハンドル３に固定させるステップＳ８６と、
真空ポンプ７を第２の継ぎ手７４に接続させ、真空状態をつくるステップＳ８７と、
真空状態で、回転棒４で螺旋針棒２１をサンプル採取部位にねじ込んで固定するステップＳ８８と、
真空状態で、回転棒４で切断針棒２２を回転させ、サンプル側面に対して切断し、切断過程において、切断刃口２２１がスプリング螺旋管２１１のねじ山に緊密に接触することによって形成した剪断力がサンプルを綺麗に切断できるステップＳ８９と、
真空状態で、回転棒４で螺旋針棒２１を回転させ、サンプル底部に対して切断するステップＳ８１０と、
螺旋針棒２１と切断針棒２２を取り出し、取り出し過程において、先端カッター９が採取したサンプルの内側端面に対して切断し、サンプル採取を完成し、先端カッター９の材質が形状記憶合金であるため、螺旋針棒２１と切断針棒２２を取り出す過程において自動的に閉合でき、切断作用を実現するステップＳ８１１と、
推進棒６により吸収性ゼラチンをサンプル採取部位に押し込むステップＳ８１２と、
を含む。
【００８５】
本実施例は創面が非常に小さい場合でも微小腫瘍の全体取り出しを実現でき、低侵襲手術の代わりに患者に対して治療を行える。推進棒６とサンプル採取外管３２を取り出した後、サンプル採取部位組織が自動的に吸収性ゼラチンをサンプル採取傷口内部に閉合させ、傷口の癒合に有利である。
【実施例９】
【００８６】
本発明に記載される螺旋軟組織生検針は、低侵襲手術の医療器械に用いられ、骨増殖に対して取り出し、
螺旋針棒２１と切断針棒２２とを接続させ、螺旋針棒固定部品２１４と固定モジュール５とを固定接続させるステップＳ９１と、
固定モジュール５とハンドル３とを固定接続させるステップＳ９２と、
スプリング螺旋管２１１が切断針棒２２から突き出した長さを調整することによってサンプル採取の長さを調節し、スプリング螺旋管２１１の直径を３ｍｍにするステップＳ９３と、
真空ポンプ７を第１の継ぎ手７２に接続させ、真空状態をつくるステップＳ９４と、
真空状態で、穿刺針棒１をハンドル３に固定させ、ハンドル３をサンプル採取位置までに穿刺し、穿刺過程に出た血液が第１の継ぎ手７２内から抽出されるステップＳ９５と、
穿刺針棒１をハンドル３から取り出し、サンプル採取針棒２をハンドル３に固定させるステップＳ９６と、
真空ポンプ７を第２の継ぎ手７４に接続させ、真空状態をつくるステップＳ９７と、
真空状態で、回転棒４で螺旋針棒２１をサンプル採取部位にねじ込んで固定するステップＳ９８と、
真空状態で、回転棒４で切断針棒２２を回転させ、サンプル側面に対して切断し、切断過程において、切断刃口２２１がスプリング螺旋管２１１のねじ山に緊密に接触することによって形成した剪断力がサンプルを綺麗に切断できるステップＳ９９と、
真空状態で、回転棒４で螺旋針棒２１を回転させ、サンプル底部に対して切断するステップＳ９１０と、
螺旋針棒２１と切断針棒２２を取り出し、取り出し過程において、先端カッター９が骨増殖部位に対して取り出し、先端カッター９の材質が形状記憶合金であるため、螺旋針棒２１と切断針棒２２を取り出す過程において自動的に閉合でき、切断作用を実現するステップＳ９１１と、
推進棒６で吸収性ゼラチンをサンプル採取部位に押し込み、推進棒６およびとサンプル採取外管３２を取り出した後、サンプル採取部位組織が自動的に吸収性ゼラチンをサンプル採取傷口内部に閉合させ、傷口の癒合に有利であるステップＳ９１２と、
を含む。
【００８７】
本実施例は、創面が非常に小さい場合でも骨増殖物質の取り出しを実現でき、骨増殖症の手術の流れを簡素化させ、手術のリスクと難易度を低減させ、同時に患者を速く回復させる。
【００８８】
以上の説明は本発明にとって、説明的なものであるが、限定的なものではない。当業者にとって、特許請求の範囲により限定される精神および範囲から脱逸しない場合に、いずれかの修正、変更または等価を行ってもよく、これらの修正、変更または等価がいずれも本発明の保護範囲内に含まれる。
【図１】
0006506416.tif 000002
【図２】
0006506416.tif 000003
【図３】
0006506416.tif 000004
【図４】
0006506416.tif 000005
【図５】
0006506416.tif 000006
【図６】
0006506416.tif 000007
【図７】
0006506416.tif 000008
【図８】
0006506416.tif 000009
【図９】
0006506416.tif 000010
【図１０】
0006506416.tif 000011
【図１１】
0006506416.tif 000012
【図１２】
0006506416.tif 000013
【図１３】
0006506416.tif 000014
【図１４】
0006506416.tif 000015
【図１５】
0006506416.tif 000016
【図１６】
0006506416.tif 000017
【図１７】
0006506416.tif 000018
【図１８】
0006506416.tif 000019
【図１９】
0006506416.tif 000020
【図２０】
0006506416.tif 000021
【図２１】
0006506416.tif 000022
【図２２】
0006506416.tif 000023
【図２３】
0006506416.tif 000024
【図２４】
0006506416.tif 000025
【図２５】
0006506416.tif 000026
【図２６】
0006506416.tif 000027
【図２７】
0006506416.tif 000028
【図２８】
0006506416.tif 000029
【図２９】
0006506416.tif 000030
【図３０】
0006506416.tif 000031
【図３１】
0006506416.tif 000032
【図３２】
0006506416.tif 000033